(57)【要約】【課題】防水仕様のコンセントを用いた場合における防水性能の向上を図る。【解決手段】プラグ用防水カバー１０は、プラグの端子を差し込むための差込穴４１，４１を囲繞する内周面に少なくとも先端部へ向かって内径が小さくなる絞り部４３が形成された受口４２を有する防水仕様のコンセント４０を対象として用いられるものであり、コンセント４０の差込穴４１，４１にプラグの端子が差し込まれた状態で受口４２と嵌合可能に構成されている。そして、このプラグ用防水カバー１０は、環状の嵌合凸部２２と、嵌合凸部２２よりも外径が小さくかつ嵌合凸部２２よりも先端方向へ突出して形成され、当該プラグ用防水カバー１０が受口４２と嵌合している状態で嵌合凸部２２を絞り部４３に当接させる突出部２３とを備えている。【選択図】図３
0003124302.tif 000002
【実用新案登録請求の範囲】
【請求項１】
プラグの端子を差し込むための差込穴を囲繞する内周面に少なくとも先端部へ向かって内径が小さくなる絞り部が形成された受口を有する防水仕様のコンセントを対象として用いられ、前記差込穴にプラグの端子が差し込まれた状態で前記受口と嵌合可能に構成されたプラグ側嵌合部材において、
環状の嵌合凸部と、
前記嵌合凸部よりも外径が小さくかつ前記嵌合凸部よりも先端方向へ突出して形成され、当該プラグ側嵌合部材が前記受口と嵌合している状態で前記嵌合凸部を前記絞り部に当接させる突出部と、
を備えたことを特徴とするプラグ側嵌合部材。
【請求項２】
屋内仕様のプラグを収容する略円筒状の収容部と、
前記収容部と一体的に形成され、前記収容部に収容された状態の屋内仕様のプラグの基端部外周面又はそのプラグが一端に設けられた電気コードの外周面に全周にわたって密着するくびれ部と、
を有するとともに前記屋内仕様のプラグに着脱可能に構成され、
前記嵌合凸部及び前記突出部は前記収容部に形成されていること
を特徴とする請求項１に記載のプラグ側嵌合部材。
【考案の詳細な説明】
【技術分野】
【０００１】
本考案は、防水仕様のコンセントの差込穴にプラグの端子が差し込まれた状態でコンセントの受口と嵌合して防水性能を発揮するように構成されたプラグ側嵌合部材に関するものである。
【背景技術】
【０００２】
従来、例えば、建物に設置された電源コンセントから離れた場所で電気機器を使用する場合に、一端にプラグが設けられ他端にコンセントが設けられた延長用の電気コードを備えたコードリールが用いられる。具体的には、コードリールのプラグを建物に設置された電源コンセントに接続し、電気機器のプラグをコードリールのコンセントに接続することにより、建物に設置された電源コンセントから離れた場所で電気機器が使用可能となる。
【０００３】
ここで、コードリールのコンセントには、雨天時でも屋外で使用できる防水仕様のものと防水仕様でないもの（屋内仕様のもの）とがある。防水仕様のコンセントは、プラグの端子を差し込むための差込穴を囲繞する内周面が形成された合成樹脂製又はゴム製の受口を備えている。これに対し、屋内仕様のコンセントは、こうした受け口を備えていない。
【０００４】
また、同様に、電気機器のプラグにも、防水仕様のものと防水仕様でないもの（屋内仕様のもの）とがある。防水仕様のプラグは、２本の端子が一体成型された樹脂製の本体が前面から見て円形状に形成されており、本体の外周面における先端部には、全周に渡って断面半円形状に突出した環状の嵌合凸部が形成されている。このため、プラグの端子がコンセントの差込穴に差し込まれた状態において、プラグの嵌合凸部がコンセントの受口に嵌合し、嵌合凸部の外周面が受口の内周面に全周にわたって密着する。これにより、外部から水が掛かったとしても、その水がプラグとコンセントとの電気的な接続部分まで浸入することが防止される。これに対し、屋内仕様のプラグは、本体が前面から見て端子の並び方向に長い長方形状に形成されており、防水仕様のコンセントに接続しても防水効果は得られない。
【０００５】
一方、屋内仕様のプラグに着脱可能に構成され、屋内仕様のプラグを防水仕様のプラグとして使用可能とするプラグ用防水カバーも提案されている（特許文献１参照）。このプラグ用防水カバーは、屋内仕様のプラグを収容する略円筒状の収容部と、収容部と一体的に形成され、収容部に収容された状態の屋内仕様のプラグの基端部外周面又はそのプラグが一端に設けられた電気コードの外周面に全周にわたって密着するくびれ部とを有する。そして、防水仕様のプラグと同様の嵌合凸部が収容部の外周面に形成されている。このため、屋内仕様のプラグにプラグ用防水カバーを装着することにより、防水仕様のプラグとして使用することができる。
【特許文献１】特開２００２−２１６８８８号公報
【考案の開示】
【考案が解決しようとする課題】
【０００６】
ところで、防水仕様のコンセントの受口の形状には特に規格が定められている訳ではないため、例えば図２（ａ）〜（ｄ）に示すように、製造業者の違いなどにより複数種類の形状の受口４２が存在しているのが現状である。このため、従来においては、プラグ側の嵌合凸部の最大外径を、コンセント４０の受口４２の最小内径よりもやや大きく設定することにより、複数種類の受口に適合させていた。
【０００７】
しかしながら、図５及び図６に示すようにプラグ５０側の嵌合凸部５１をコンセント４０の受口４２に嵌合させた状態における軸方向（プラグの差し込み方向）の位置決めについては特に配慮されていなかった。このため、軸方向に遊びが生じることにより嵌合凸部５１と受口４２との間にがたつきが生じやすく、防水性能の向上を図る上で不都合であった。
【０００８】
本考案は、こうした問題にかんがみてなされたものであり、防水性能の向上を図ることを目的としている。
【課題を解決するための手段】
【０００９】
上記目的を達成するためになされた本考案の請求項１に記載のプラグ側嵌合部材は、プラグの端子を差し込むための差込穴を囲繞する内周面に少なくとも先端部（差込穴から離れた側）へ向かって内径が小さくなる絞り部が形成された受口を有する防水仕様のコンセントを対象として用いられるものである。また、このプラグ側嵌合部材は、コンセントの差込穴にプラグの端子が差し込まれた状態で受口と嵌合可能に構成されている。
【００１０】
そして、このプラグ側嵌合部材は、環状の嵌合凸部と、嵌合凸部よりも外径が小さくかつ嵌合凸部よりも先端方向へ突出して形成され、当該プラグ側嵌合部材が受口と嵌合している状態で嵌合凸部を絞り部に当接させる突出部とを備えている。
【００１１】
このような構成のプラグ側嵌合部材では、先端部に突出部の形成されていない従来のものに比べ、嵌合凸部が受口の先端部寄り（換言すれば絞り部寄り）に位置することになる。これにより、嵌合凸部が受口の内周面における絞り部に当接することとなり、がたつきの発生が抑制される。この結果、防水性能を向上させることができる。
【００１２】
ところで、本考案のプラグ側嵌合部材は、例えば、プラグと一体的に（プラグ本体として）構成することも可能であるが、プラグと別体で構成するとより効果的である。
すなわち、請求項２に記載のプラグ側嵌合部材は、上記請求項１に記載のプラグ側嵌合部材において、屋内仕様のプラグを収容する略円筒状の収容部と、収容部と一体的に形成され（分離可能な別体の部材を一体的に組み合わせたものも含む。）、収容部に収容された状態の屋内仕様のプラグの基端部外周面又はそのプラグが一端に設けられた電気コードの外周面に全周にわたって密着するくびれ部とを有するとともに屋内仕様のプラグに着脱可能に構成されている。そして、このプラグ側嵌合部材において、上述した嵌合凸部及び突出部は収容部に形成されている。
【００１３】
このようにプラグ側嵌合部材がプラグと別体で構成されている場合には、プラグと一体で構成されている場合に比べてがたつきが生じやすい条件となるが、本考案のプラグ側嵌合部材によればがたつきの発生を効果的に抑制することができる。
【考案を実施するための最良の形態】
【００１４】
以下、本考案が適用された実施形態について、図面を用いて説明する。
図１は、本考案のプラグ側嵌合部材の一実施形態としてのプラグ用防水カバー１０の外観図である。
【００１５】
このプラグ用防水カバー１０は、屋内仕様のプラグに着脱可能に構成されている。具体的には、略円筒状に形成された合成樹脂製（本実施形態ではＥＶＡ製）のケース部材２０と、伸縮自在の材料（本実施形態では熱可塑性エラストマー）により略円筒状に形成され、一端がケース部材２０の外周面に装着されたカバー部材３０とを備えている。
【００１６】
ここで、ケース部材２０には、屋内仕様のプラグを収容可能な空間（円形の貫通穴）が内側に形成されており、外周面にはカバー部材３０に覆われる被覆部２１が形成されている。また、外周面における先端部（カバー部材３０に覆われない部分）には、全周に渡って断面半円形状に突出した環状の嵌合凸部２２が形成されており、更に、嵌合凸部２２よりも外径の小さい環状の突出部２３が先端方向へ突出して形成されている。
【００１７】
また、カバー部材３０には、ケース部材２０の外周面を覆うように装着される装着部３１と、基端部に向かって径が絞られたくびれ部３２とが形成されている。
一方、図２に示すように、防水仕様のコンセント４０には、プラグの端子を差し込むための２つの差込穴４１，４１が形成されているとともに、差込穴４１，４１を囲繞する内周面が形成された円筒状の受口４２が設けられている。そして、受口４２の内周面における先端部付近には、先端部へ向かって内径が小さくなる絞り部４３が形成されている。
【００１８】
なお、屋内仕様のプラグは、図示しないが、周知のように電気機器における電気コードの先端部に設けられており、２本の端子が一体成型された樹脂製の本体が前面から見て端子の並び方向に長い長方形状に形成されている。
【００１９】
以上のような構成のプラグ用防水カバー１０を使用する場合には、まず、プラグ用防水カバー１０を、屋内仕様のプラグを覆うように装着する。具体的には、プラグ用防水カバー１０のカバー部材３０における基端部を指で広げ、ケース部材２０の外側に巻き上げる様に被せる。そして、ケース部材２０の後端側（嵌合凸部２２が形成されていない側）からプラグを挿入した後、カバー部材３０を指で元の状態に戻す。これにより、カバー部材３０のくびれ部３２が屋内仕様のプラグの本体基端部における外周面又はそのプラグが一端に設けられた電気コードの外周面に全周にわたって密着する。
【００２０】
そして、プラグの端子がコンセント４０の差込穴４１，４１に差し込まれた状態で、図３及び図４に示すように、プラグ用防水カバー１０の先端部における嵌合凸部２２を、防水仕様のコンセント４０の受口４２に嵌合させる。このとき、プラグ用防水カバー１０には先端部に突出部２３が形成されているため、突出部２３の形成されていない従来のものに比べ、嵌合凸部２２が受口４２の先端部寄り（換言すれば絞り部４３寄り）に位置することになる。
【００２１】
こうして突出部２３が軸方向のスペーサとして作用することにより、嵌合凸部２２が受口４２の内周面における絞り部４３に当接するため、軸方向のがたつきの発生が抑制される。この結果、極めて高い防水性能が得られる。
【００２２】
特に、プラグ用防水カバー１０はプラグと別体で構成されているため、防水仕様のプラグ（換言すれば、プラグと嵌合凸部とが一体で構成されているもの）に比べてがたつきが生じやすい条件となるが、上述のとおり突出部２３の作用によりがたつきの発生を効果的に抑制することができる。
【００２３】
以上、本考案の一実施形態について説明したが、本考案は、種々の形態を採り得ることは言うまでもない。
例えば、上記実施形態では、本考案のプラグ側嵌合部材として、屋内仕様のプラグに装着して使用するプラグ用防水カバー１０を例示したが、これに限定されるものではない。すなわち、防水仕様のプラグの本体に本考案のプラグ側嵌合部材を適用することももちろん可能である。
【図面の簡単な説明】
【００２４】
【図１】実施形態としてのプラグ用防水カバーの外観図である。
【図２】防水仕様のコンセントが有する受口の形状の説明図である。
【図３】実施形態のプラグ用防水カバーを防水仕様のコンセントに接続した状態を示す説明図（その１）である。
【図４】実施形態のプラグ用防水カバーを防水仕様のコンセントに接続した状態を示す説明図（その２）である。
【図５】従来の防水仕様のプラグを防水仕様のコンセントに接続した状態を示す説明図（その１）である。
【図６】従来の防水仕様のプラグを防水仕様のコンセントに接続した状態を示す説明図（その２）である。
【符号の説明】
【００２５】
１０…プラグ用防水カバー、２０…ケース部材、２１…被覆部、２２…嵌合凸部、２３…突出部、３０…カバー部材、３１…装着部、３２…くびれ部、４０…コンセント、４１…差込穴、４２…受口、４３…絞り部
【図１】
0003124302.tif 000003
【図２】
0003124302.tif 000004
【図３】
0003124302.tif 000005
【図４】
0003124302.tif 000006
【図５】
0003124302.tif 000007
【図６】
0003124302.tif 000008